(57)【要約】      （修正有）【課題】虫歯予防及び口臭リフレッシュの機能を有するデンタルフロス棒を提供する。【解決手段】虫歯予防及び口臭リフレッシュの機能を有するデンタルフロス棒は、掴持部１と、本体部２と、デンタルフロス体３とを含み、該デンタルフロス体上にコーティング層を設け、該コーティング層は、フッ化物構造、ミントの香り構造又はフルーツの香り構造等を塗布したものである。したがって、デンタルフロス棒のデンタルフロス体を移動させることにより、歯の隙間の食べ物の残りカスを擦り落とし、コーティング層の香りを口腔内部に進入させることができ、デンタルフロス棒に歯を清掃する効果を持たせ、口腔にミントの香り及びフルーツの香りを発出させ、該香りが口腔内に残留し、使用者の口腔の臭いを改善し、人に口臭をリフレッシュした感覚を持たせ、個人の口腔衛生習慣を向上させることができる。【選択図】図１
0003165939.tif 000002
【実用新案登録請求の範囲】
【請求項１】
掴持部１と、
該掴持部１と接続する本体部と、
前記本体部２の一側に設けられ、上部にコーティング層４を設けるデンタルフロス体３と、
を含む虫歯予防及び口臭リフレッシュの機能を有するデンタルフロス棒。
【請求項２】
前記デンタルフロス体３上のコーティング層４は、フッ化物構造を塗布してなる請求項１に記載の虫歯予防及び口臭リフレッシュの機能を有するデンタルフロス棒。
【請求項３】
前記デンタルフロス体３上のコーティング層４は、ミントの香り構造を塗布してなる請求項１に記載の虫歯予防及び口臭リフレッシュの機能を有するデンタルフロス棒。
【請求項４】
前記デンタルフロス体３上のコーティング層４は、フルーツの香り構造を塗布してなる請求項１に記載の虫歯予防及び口臭リフレッシュの機能を有するデンタルフロス棒。
【請求項５】
前記デンタルフロス体３は、円柱体であることを特徴とする請求項１に記載の虫歯予防及び口臭リフレッシュの機能を有するデンタルフロス棒。
【請求項６】
前記デンタルフロス体３は、片状体であることを特徴とする請求項１に記載の虫歯予防及び口臭リフレッシュの機能を有するデンタルフロス棒。
【請求項７】
前記デンタルフロス体３は、扁平状体であることを特徴とする請求項１に記載の虫歯予防及び口臭リフレッシュの機能を有するデンタルフロス棒。
【請求項８】
前記掴持部１の末端は、先細り状であることを特徴とする請求項１に記載の虫歯予防及び口臭リフレッシュの機能を有するデンタルフロス棒。
【考案の詳細な説明】
【技術分野】
【０００１】
本考案は、デンタルフロス棒に関し、特に、歯を清潔にし、虫歯を予防し、口臭をリフレッシュすることができる虫歯予防及び口臭リフレッシュの機能を有するデンタルフロス棒に関する。
【背景技術】
【０００２】
日常生活水準及び知識水準の向上に伴い、口の健康及び潔白な歯を持ちたいと願い、個人の口膣衛星観念及び習慣は、現在人々が重視し、注意を払わなければならないものとなっている。
【０００３】
最も基本的な口腔清掃メンテナンス方式は、勤労な歯磨きであり、食後の歯磨きの習慣は、更に歯の保健を向上する効果を補助し、人体の口腔は、時々外部の空気及び食べ物と接触するので、口腔内は、しばしば細菌が発生し、歯が細菌に侵害され、虫歯になり易く、歯の保健の観念が徐々に促進された後、多くの人が食後の歯磨き又はデンタルフロス棒を利用し、歯の清掃保健を行い、このように、デンタルフロス棒は、徐々に人々の生活中の必需品となっている。
【０００４】
現在の市場のデンタルフロス棒の使用は、効率的に歯を清掃できるが、臭いの強い食事を取った後（例えば、ニンニク、たまねぎ等）、口腔内に食べ物の臭いが残り、現在市場にあるデンタルフロスを単独で使用しただけでは、歯の隙間の食べ物の残りカスを清掃することができるだけで口腔内の臭いを改善することができないので、従来のデンタルフロス棒は、口臭をリフレッシュすることを兼ね備えることができない。
【０００５】
これに鑑みて、本願の考案者は、長年関連分野に従事した経験に基づき、前記の欠陥に対して深く検討し、前記要求に基づき、積極的に解決の道を追求し、長時間の努力及び多数回の試験を経て、本考案を完成している。
【先行技術文献】
【特許文献】
【０００６】
【特許文献１】特許公表２００７−５０２２８０号公報
【考案の概要】
【考案が解決しようとする課題】
【０００７】
本考案の目的は、歯を効率的に清掃し、虫歯を予防し、且つ口臭をリフレッシュすることができる虫歯予防及び口臭リフレッシュの機能を有するデンタルフロス棒を提供することにある。
【課題を解決するための手段】
【０００８】
上記の目的に基づき、本考案が開示する虫歯予防及び口臭リフレッシュの機能を有するデンタルフロス棒は、末端が先細り状である掴持部と、掴持部と連接する本体部と、前記本体部の一側に設置されるデンタルフロス体と、を含み、該デンタルフロス体は、円柱体、片状体、又は扁平状体であることができ、該デンタルフロス体上にコーティング層を設け、該コーティング層は、フッ化物構造、ミントの香り構造、又はフルーツの香り構造等を塗布する。
【考案の効果】
【０００９】
従って、本考案の虫歯予防及び口臭リフレッシュの機能を有するデンタルフロス棒は、デンタルフロス体上に一層のコーティング層を塗布し、該コーティング層は、フッ化物構造、ミントの香り構造、又はフルーツの香り構造であることができ、コーティング層は、デンタルフロス上に一層のミントの香り又はフルーツの香りを含ませ、使用者が飲食後、デンタルフロス棒を口腔内に入れて使用する時、該デンタルフロス体のコーティング層が２つの歯の隙間内で接触摩擦を発生し、使用者がデンタルフロス棒を移動させることにより歯の隙間の食べ物のカスを擦り落とすことができ、コーティング層の香りを口腔内部に進入させることもでき、使用者がデンタルフロス棒を使用した後に、歯の清掃の効果を達成すると同時に、口腔の香りを清らかにし、個人の口腔衛生習慣を向上させる。
【図面の簡単な説明】
【００１０】
【図１】本考案の第1実施例の立体説明図１である。
【図２】本考案の第1実施例の立体説明図２である。
【図３Ａ】本考案のデンタルフロス体の片状体の説明図である。
【図３Ｂ】本考案のデンタルフロス体の円状体の説明図である。
【図３Ｃ】本考案のデンタルフロス体の扁平状体の説明図である。
【図４Ａ】本考案のコーティング層の断面位置図である。
【図４Ｂ】本考案のコーティング層の断面説明図である。
【図５】本考案の第１実施例の実施説明図である。
【図６】本考案の第２実施例の立体説明図である。
【図７】本考案の第２実施例の実施説明図である。
【図８】本考案の第３実施例の立体説明図である。
【図９】本考案の第３実施例の実施説明図である。
【考案を実施するための形態】
【００１１】
本考案の目的、効果、特徴及び構造をより分かり易くするため、好適実施例を挙げ、図面に併せて以下に説明する。
【００１２】
先ず、図１〜図５を同時に参照し、図１は、本考案の第1実施例の立体説明図１であり、図２は、本考案の第1実施例の立体説明図２であり、図３は、本考案のデンタルフロス体の片状体の説明図である。図３Ｂは、本考案のデンタルフロス体の円状体の説明図である。図３Ｃは、本考案のデンタルフロス体の扁平状体の説明図である。図４Ａは、本考案のコーティング層の断面位置図である。図４Ｂは、本考案のコーティング層の断面説明図である。
【００１３】
図から分かるように、本考案が開示する虫歯予防及び口臭リフレッシュの機能を有するデンタルフロス棒は、以下を含む：
【００１４】
掴持部１であって、該掴持部１末端は、先細り状であることができ、該先細り状の主要な目的は、歯の隙間の食べ物の残りカスを擦り落とすことである。該掴持部１は、プラスチック材料で射出成型して形成され、剛性を有し、該掴持部１の主要な目的は、使用者に円滑で安定した掴持を提供可能にすることである。
【００１５】
本体部２であって、該本体部２は、掴持部１と相互に接続し、前記本体部２は、プラスチック材料で射出成型して形成され、剛性を有し、該本体部２は、コの字型の態様（図１参照）又は略三角形の態様（図２参照）等であることができる。
【００１６】
デンタルフロス体３は、前記本体部２の一側に設けられ、該デンタルフロス体３は、複数のデンタルフロス３０により構成され、前記デンタルフロス３０の材質は、テフロン（登録商標）、人工繊維等であることができ、且つ該デンタルフロス体３は、円柱体（図３Ａ参照）、片状体（図３Ｂ参照）、又は扁平状体（図３Ｃ参照）であることができ、該デンタルフロス体３上にコーティング層４を設け、該コーティング層４は、フッ化物構造、ミントの香り構造、又はフルーツの香り構造であり、該フッ化物構造の主要な目的は、殺菌の効果を有することができ、虫歯のリスクを予防でき、ミント構造の主要な目的は、口腔の香りをリフレッシュすることであり、フルーツの香り構造の主要な構造は、口腔内に淡いフルーツの香りを含ませることであり、該フルーツの香りは、りんご、苺、桃、檸檬等であることができる。
【００１７】
実施時、使用者の手は、掴持部１を握ることができ、本体２上のデンタルフロス体３を歯の隙間に置き、清掃作業を行ない、使用者は、デンタルフロス体３を介して上下左右往復移動を行なうことにより歯の隙間の食べ物の残りカスを清掃し、この時、該デンタルフロス体３外側のコーティング層４が歯と接触した後、コーティング層４上のフッ化物構造、ミントの香り構造、又はフルーツの香り構造は、口腔の歯の隙間に残り、フッ化物構造は、歯の外部に一層の保護層を形成することができ、殺菌でき、虫歯予防を兼ね備え、ミントの香り構造又はフルーツの香り構造は、呼吸作用を介して、使用者自身又は周囲の人が口腔内から発散するミントの香り及びフルーツの香りの息を受けることができ、従って、本考案のデンタルフロス棒は、歯の清掃の効果を達成し、口腔に淡い香りを発することができ、該淡い香りが口腔内に残留でき、使用者の口腔の臭いを効率的に改善でき、人に口臭のリフレッシュした感覚を持たせ、個人の口腔衛生習慣を向上することができる。
【００１８】
図６及び図７を同時に参照し、図６は、本考案の第２実施例の立体説明図であり、図７は、本考案の第２実施例の実施説明図である。
【００１９】
本考案の第２実施例は、ほぼ第１実施例と同一であり、その差異は、本体部２上に舌擦り片装置５を設置することである。
【００２０】
本考案の第２実施例は、本体部２上に舌擦り片装置５を設置し、該舌擦り片装置５は、複数の扁平で長く、且つ相互に平行な舌擦り片５０を含み、該舌擦り片５０は、軟質のゴム材質であり、舌擦り片装置５は、人体工学に適合するよう設置された弧形摩擦端であり、その主要な目的は、舌面上の垢を擦り取ることであり、垢が長く累積すれば、人体口腔内に口臭が発生するからである。
【００２１】
実施時、使用者は、掴持部１を握ることができ、本体部２上の舌擦り片装置５を舌面上に置き、清掃作業を行い、使用者は、舌擦り片装置５を前後左右に往復移動させることにより、舌面上の垢を清掃する。舌擦り片装置５は、舌面上の垢を清掃する効果を達成し、使用者の口臭を効率的に改善し、人に口臭をリフレッシュした感覚を持たせ、且つ個人の口腔衛生習慣を向上することができる。
【００２２】
図８及び図９を同時に参照し、図８は、本考案の第３実施例の立体説明図であり、図９は、本考案の第３実施例の実施説明図である。
【００２３】
本考案の第３実施例は、略第１実施例と同一であり、その差異は、本体部２上に凸体装置６を設置することである。
【００２４】
本考案の第３実施例は、本体部２上に凸体装置６を設置し、該凸体装置６は、複数の細長形であり且つ相互に平行な凸体６０を含み、該凸体６０は、プラスチック材質であり、主要な目的は、舌面上の垢を擦り落とすことであり、垢が長く累積すれば、人体口腔内に口臭が発生するからである。
【００２５】
実施時、使用者は、掴持部１を握ることができ、本体部２上の凸体装置６を舌面上に置き、清掃作業を行い、使用者は、凸体装置６を前後左右に往復移動させることにより、舌面上の垢を清掃する。凸体装置６は、舌面上の垢を清掃する効果を達成し、使用者の口臭を効率的に改善し、人に口臭をリフレッシュした感覚を持たせ、且つ個人の口腔衛生習慣を向上することができる。
【００２６】
このように、本考案の虫歯予防及び口臭リフレッシュの機能を有するデンタルフロス棒は、デンタルフロス体３上に一層のコーティング層４を塗布し、使用者が飲食後にデンタルフロス棒を口腔内に入れて使用することができ、この時、該デンタルフロス体３のコーティング層４は、歯と歯の隙間に摩擦を発生し、使用者がデンタルフロス棒を移動させることにより、歯の隙間の食べ物の残りカスを擦り落とすことができ、更にコーティング層の香りを口腔内部に進入させることができ、舌擦り片装置４により舌面上の垢を清掃することができ、従って、本考案のデンタルフロス棒は、歯を清掃する効果を達成し、更に口腔の臭いをリフレッシュさせ、個人の口腔衛生習慣を向上することができる。
【符号の説明】
【００２７】
１  掴持部
２  本体部
３  デンタルフロス体
３０  デンタルフロス
４  コーティング層
５  舌擦り片装置
５０  舌擦り片
６  凸体装置
６０  凸体
【図１】
0003165939.tif 000003
【図２】
0003165939.tif 000004
【図３Ａ】
0003165939.tif 000005
【図３Ｂ】
0003165939.tif 000006
【図３Ｃ】
0003165939.tif 000007
【図４Ａ】
0003165939.tif 000008
【図４Ｂ】
0003165939.tif 000009
【図５】
0003165939.tif 000010
【図６】
0003165939.tif 000011
【図７】
0003165939.tif 000012
【図８】
0003165939.tif 000013
【図９】
0003165939.tif 000014